(57)【要約】【課題】  配電盤等の一の箇所に複数の配線同士を接続する接続部が集約されている場合でも目的外となる配線を誤って接続部から取り外してしまうのを回避可能とした配線の接続部誤外し防止用器具を提供する。【解決手段】  光ファイバケーブル９の心線１０と光ファイバコード１３とが接続された状態となっている接続部７に対し、表示部材１９を２つの構成部材２２、２３が開いた状態で載せ、配線装着用部材２０について、絡み付き部３１を心線１０に絡み付け、絡み付き部３２を光ファイバコード１３に絡み付けると共に、被挟持部３３を表示部材１９の構成部材２２、２３間に配置した後、構成部材２２、２３を閉じてこれらの構成部材２２、２３で配線装着用部材２０の被挟持部３３を挟むことで、接続部７に各種情報が表示された表示部材１９を載せた状態にする。【選択図】図７
2010054647.tif 000002
【特許請求の範囲】
【請求項１】
配線を接続部から外すか否かを判断するのに必要な情報を表示する表示部材と前記配線に装着するための配線装着用部材とから少なくとも構成され、
前記表示部材は、２つのプレート状の構成部材とこれらの構成部材を開閉可能に連結する開閉機構とを有することにより、前記構成部材を相互に閉じることで前記配線装着用部材をこれらの構成部材間に挟持することが可能な構造となっており、
前記配線装着用部材は、１つの線状若しくは板状に形成されていると共にその両端近傍部位には前記配線に絡み付くことが可能な２つの絡み付き部が形成されていることを特徴とする配線の接続部誤外し防止用器具。
【請求項２】
前記配線装着用部材の絡み付き部は、前記配線の外径方向寸法と略同じ内径寸法の内部領域を有する螺旋形状としたことを特徴とする請求項１に記載の配線の接続部誤外し防止用器具。
【請求項３】
前記表示部材の２つの構成部材は、閉じた際に相互に対峙する面について、複数の窪み又はスリット孔が前記配線装着用部材の軸方向に沿った方向と交差する方向となるように形成されていると共に、前記配線装着用部材の前記絡み付き部以外の部位の側方外面には、前記表示部材の構成部材に形成された窪み又はスリット孔と係合可能な突部がその軸方向に沿って複数に形成されていることを特徴とする請求項１又は請求項２に記載の接続部誤外し防止用器具。
【請求項４】
前記表示部材の２つの構成部材は、前記開閉機構を有する側とは反対側において、前記構成部材の一方に雄状部が形成され、前記構成部材の他方に雌状部が形成されて、これらの雄状部と雌状部とが前記構成部材同士を閉じた際に係合可能となっていることを特徴とする請求項１、請求項２又は請求項３に記載の接続部誤外し防止用器具。
【請求項５】
請求項１から請求項４のいずれかに記載の接続部誤外し防止用器具を２つの配線が接続された状態となっている接続部に取り付ける方法であって、
前記２つの配線が接続された状態となっている接続部に対し、前記表示部材を２つの構成部材が開いた状態で載せる過程と、
前記配線装着用部材について、前記絡み付き部の一方を前記配線のうちの一方に絡み付け、前記絡み付き部の他方を前記配線のうちの他方に絡み付けると共に、前記絡み付き部以外の部位を前記表示部材の構成部材間に配置する過程と、
前記表示部材の構成部材を閉じてこれらの構成部材で前記配線装着用部材のうち絡み付き部以外の部位を挟む過程とを有することを特徴とする配線の接続部誤外し防止用具取り付け方法。
【発明の詳細な説明】
【技術分野】
【０００１】
この発明は、例えば光ファイバケーブルの心線等の複数の配線、各装置等に向かう光ファイバコード等の複数の配線、及びこれらの配線同士を接続するための接続部が収納された配線盤で用いられる配線の接続部を誤って外すのを防止する器具及び、この器具の取り付け方法に関する。
【背景技術】
【０００２】
多数の心線が内装された構造の光ファイバケーブルと各装置との配電盤での接続は、例えば特許文献１等に示されるように、筐体に対しその高さ方向に複数段において積層された光ファイバ収納トレイにおいて、その底面上に複数のアダプタを横一列に配置させ、各アダプタの一方側コネクタに光ファイバケーブルを構成する心線のうちの１つの端末を接続し、このアダプタの他方側コネクタに各装置等に向かう光ファイバコードの端末を接続することで行う場合があった。
【特許文献１】特開２００６−２２７０４１号公報
【発明の開示】
【発明が解決しようとする課題】
【０００３】
しかしながら、特許文献１で示される光ファイバケーブルの心線と各装置等に向かう光ファイバコードとの配電盤での接続状態では、光ファイバ収納トレイ内に配された光ファイバケーブルの各心線には何らの表示もされていないので、各心線が利用中か利用中でないかを判別することは容易でなく、更には利用中の心線にあってはその利用目的の重要度を判断することはより困難なものとなっていた。
【０００４】
このため、光ファイバケーブルのうち特定の心線のみを取り外す場合には、光ファイバ収納トレイ内への心線の収納位置や心線番号を参照して取り外しの目的となる心線を探して取り外していたが、人間による作業であるため誤って取り外しの目的外の心線を取り外す危険性があった。
【０００５】
そこで、本発明は、配電盤等の一の箇所に複数の配線同士を接続する接続部が集約されている場合でも目的外となる配線を誤って接続部から取り外してしまうのを回避可能とした配線の接続部誤外し防止用器具及びその取り付け方法を提供することを目的とする。
【課題を解決するための手段】
【０００６】
この発明に係る配線の接続部誤外し防止用器具は、配線を接続部から外すか否かを判断するのに必要な情報を表示する表示部材と前記配線に装着するための配線装着用部材とから少なくとも構成され、前記表示部材は、２つのプレート状の構成部材とこれらの構成部材を開閉可能に連結する開閉機構とを有することにより、前記構成部材を相互に閉じることで前記配線装着用部材をこれらの構成部材間に挟持することが可能な構造となっており、前記配線装着用部材は、１つの線状若しくは板状に形成されていると共にその両端近傍部位には前記配線に絡み付くことが可能な２つの絡み付き部が形成されていることを特徴としている（請求項１）。ここで、接続部で接続される配線の一方は、例えば、多数の心線が内装された構造の光ファイバケーブルのうちの１の心線である。また、接続部で接続される配線の他方は、例えば、各装置等に接続される光ファイバコードである。そして、接続部は、例えば、光ファイバ中間配電盤の筐体に対しその高さ方向に複数段において積層された光ファイバ収納トレイにおいて、その底面上に横一列に配置された複数の接続部のうちの１つである。表示部材の開閉機構は、例えば蝶番（ヒンジ）等である。
【０００７】
これにより、２つの配線が接続された状態の接続部に対し配線を接続部から外すか否かを判断するのに必要な情報を表示する表示部材を有する接続部誤外し防止用器具が配線取り外し作業の際において確実に装着された状態にあるので、かかる接続部の配線を取り外そうとする者は表示部に表示された情報によりそれが目的の配線か否かを判断することが可能となる。
【０００８】
そして、この発明に係る配線の接続部誤外し防止用器具において、前記配線装着用部材の絡み付き部は、前記配線の外径方向寸法と略同じ内径寸法の内部領域を有する螺旋形状としたものとなっている（請求項２）。これにより、配線装着用部材を配線に簡易且つ確実に絡み付けることが可能となり、配線装着用部材の配線への装着作業の平易化を図ることができる。
【０００９】
また、この発明に係る配線の接続部誤外し防止用器具において、前記表示部材の２つの構成部材は、閉じた際に相互に対峙する面について、複数の窪み又はスリット孔が前記配線装着用部材の軸方向に沿った方向と交差する方向となるように形成されていると共に、前記配線装着用部材の前記絡み付き部以外の部位の側方外面には、前記表示部材の構成部材に形成された窪み又はスリット孔と係合可能な突部がその軸方向に沿って複数に形成されたものとなっている（請求項３）。これにより、表示部材の両構成部材に形成された窪み又はスリット孔と配線装着用部材の絡み付き部以外の部位の側方外面に形成された突部とが係合するので、表示部材と配線装着用部材とが配線の軸方向に沿って相互にずれたり外れたりすることがない。
【００１０】
更に、前記表示部材の２つの構成部材は、前記開閉機構を有する側とは反対側において、前記構成部材の一方に雄状部が形成され、前記構成部材の他方に雌状部が形成されて、これらの雄状部と雌状部とが前記構成部材同士を閉じた際に係合可能となっている（請求項４）。これにより、構成部材同士が閉じた状態から何らかの作用により不用意に開いたりすることがない。
【００１１】
これに伴い、請求項１から請求項４のいずれかに記載の接続部誤外し防止用器具を２つの配線が接続された状態となっている接続部に取り付ける方法であって、前記２つの配線が接続された状態となっている接続部に対し、前記表示部材を２つの構成部材が開いた状態で載せる過程と、前記配線装着用部材について、前記絡み付き部の一方を前記配線のうちの一方に絡み付け、前記絡み付き部の他方を前記配線のうちの他方に絡み付けると共に、前記絡み付き部以外の部位を前記表示部材の構成部材間に配置する過程と、前記表示部材の構成部材を閉じてこれらの構成部材で前記配線装着用部材のうち絡み付き部以外の部位を挟む過程とを有する方法を採ることが可能となる。尚、表示部材の構成部材同士について配線装着用部材を挟んだ状態で閉じた際に、請求項３に記載の接続部誤外し防止用器具では、表示部材のうちの両構成部材の窪み又はスリット孔と配線装着用部材の絡み付き部以外の部位に形成された突部とが自然に係合し、請求項４に記載の接続部誤外し防止用器具では、表示部材のうちの一方の構成部材の雄状部と他方の構成部材の雌状部とが自然に係合する。
【発明の効果】
【００１２】
以上のように、本願の発明によれば、２つの配線が接続された状態の接続部に対し配線を接続部から外すか否かを判断するのに必要な情報を表示する表示部材を有する接続部誤外し防止用器具を、配線取り外し作業の際において確実に装着された状態におくことができるため、かかる接続部の配線を取り外そうとする者は表示部に表示された情報によりそれが目的の配線か否かを判断することが可能となるので、目的外の配線を誤って接続部から外すことが抑止される。
【００１３】
特に請求項２に記載の発明によれば、配線装着用部材の螺旋形状の絡み付け部を配線に絡み付けることで、配線装着用部材を配線に簡易且つ確実に接続させることが可能となり、配線装着用部材と配線との接続作業の平易化を図ることができる。
【００１４】
特に請求項３に記載の発明によれば、表示部材の一方の構成部材に形成された窪み又はスリット孔と配線装着用部材の絡み付き部以外の部位の側方外面に形成された突部とが係合するので、表示部材と配線装着用部材とが不用意に配線の軸方向に沿って相互にずれたり外れたりすることを防止することが可能である。
【００１５】
特に請求項４に記載の発明によれば、構成部材同士が何らかの作用により不用意に開いたりすることがないので、接続部誤外し防止用器具が接続部の上面から脱落することを防止することが可能である。
【発明を実施するための最良の形態】
【００１６】
以下、この発明の実施形態の一例を図面に基づいて説明する。
【００１７】
まず、図１及び図２において、この発明に係る接続部誤外し防止用器具１８を利用可能な光ファイバの中間配電盤(ＩＤＦ：Intermediate Distribution Frame)１の配置構成の一例について説明する。
【００１８】
中間配電盤１は、この実施例では、図１に示されるように、箱体２に対しその高さ方向に沿って複数段において光ファイバ収納トレイ３を積層する形で収納して成るもので、各光ファイバ収納トレイ３は、この実施例では、図１及び図２に示されるように、底板４とその周縁から当該底板４をほぼ囲むように立設した立板５（５ａから５ｄ）とから構成されていると共に、立板５のうち対峙する立板５ａ、５ｃにそれぞれ切欠き部６が形成された構成となっている。
【００１９】
そして、光ファイバ収納トレイ３の底部４の上面には、立板５のうち立板５ａ、５ｃに沿って、複数の接続部７が並設されている。１の光ファイバ収納トレイ３における接続部７の数は、図２においては７個となっているが、これに限定されず、例えば２０個ほどあっても良い。各接続部７は立板５ａ、５ｃと対峙する両側において、その一方側には後述する光ファイバケーブル９の心線１０の端末１１が差し込まれ、他方側には後述する光ファイバコード１３の端末１６が差し込まれるようになっている。
【００２０】
このうち、光ファイバケーブル９は、接続部７の数に対応した複数（この実施例では7本）の心線１０を内包するもので、例えば図１に示されるように電柱８から中間配電盤１に向けて引き込まれる配線となっていると共に、中間配電盤１内では図２に示されるように、光ファイバ収納トレイ３の一方の切欠き部６から当該光ファイバ収納トレイ３の接続部７よりも手前側で複数の心線１０に分岐し、各心線１０の先端には接続部７と接続するための端末１１が設けられている。
【００２１】
これに対し、光ファイバコード１３は、その一方側が図１に示されるように各種装置１４の入力部１５に接続されると共に、その他方側が光ファイバ収納トレイ３の他方の切欠き部６から当該光ファイバ収納トレイ３内に引き回され、その先端には接続部７と接続するための端末１６が設けられている。
【００２２】
次に、図３から図７において、この発明に係る接続部誤外し防止用器具１８の実施例のうちの一例について説明する。
【００２３】
この接続部誤外し防止用器具１８は、特に図３において示される表示部材１９と特に図４において示される配線装着用部材２０とを有して構成されている。
【００２４】
表示部材１９は、図３及び図４から図７に示されるように、肉厚が相対的に薄いプレート状の構成部材２２、２３と、この構成部材２２、２３の一辺においてこれらの構成部材２２、２３の双方と連結されて、構成部材２２、２３を開閉可能とする開閉機構たる蝶番（ヒンジ）２４とを有して構成されている。
【００２５】
そして、表示部材１９の構成部材２２、２３には、この実施例では、蝶番２４を有する辺とは反対側の辺からこの構成部材２２、２３の面に連なるように延出部２５、２６が延出しており、この実施例では構成部材２３の延出部２６に貫通孔２７が形成されていると共に、構成部材２２の延出部２５にはこの貫通孔２７に挿通可能な外径寸法の軸部及びこの軸部の先端に形成されて貫通孔２７よりも大きな外径寸法を有しつつ径方向に沿って伸縮する、可撓性を有する頭部から成る係合部２８が形成されている。
【００２６】
これにより、構成部材２２を構成部材２３側に揺動させて構成部材２２と構成部材２３とを閉じた場合には、係合部２８が延出部２６の貫通孔２７に係合されることとなる。
【００２７】
また、表示部材１９の構成部材２２、２３は、相互に対峙する面において、この実施例では、蝶番２４を有する辺側から延出部２５、２６を有する側に向けて並列的に延びる複数（この実施例では９本）の窪み２９が形成されており、後述する配線装着用部材２０の係合突起３４と係合可能となっている。尚、構成部材２２、２３は、図示しないが、この有底の窪み２９の代わりに、構成部材２２、２３の厚み方向に貫通して成る、配線装着用部材２０の係合突起３４と係合可能なスリット孔を有するものとしても良い。
【００２８】
配線装着用部材２０は、図４及び図６に示されるように、１つの線状部材から構成されており、光ファイバケーブル９の心線１０に絡み付くための絡み付き部３１と、光ファイバコード１３に絡み付くための絡み付き部３２と、この絡み付き部３１と絡み付き部３２との間に介在されるもので、表示部材１９の構成部材２２、２３間に挟まれる被挟持部３３とを有して構成されている。
【００２９】
このうち、絡み付き部３１、３２は、それぞれ同心円の螺旋形状をなしているもので、この螺旋形状についてその軸方向から見た場合に光ファイバケーブル９の心線１０又は光ファイバコード１３の外径寸法と略同じ大きさの内部領域が光ファイバケーブル９の心線１０又は光ファイバコード１３の軸方向に沿って延びるかたちで有したものとなっている。
【００３０】
被挟持部３３は、直線状のもので、構成部材２２と構成部材２３とで挟まれた際に構成部材２２に対峙する側と構成部材２３に対峙する側とに、これら構成部材２２、２３の窪み２９と係合突起３４が形成されている。これにより、表示部材１８の構成部材２２、２３に形成された窪み２９と配線装着用部材２０の被挟持部３３に形成された係合突起３４とが係合された際には、表示部材１８と配線装着用部材２０とが被挟持部３３の軸方向に沿って位置ずれすることがなくなる。
【００３１】
そして、この実施例では、絡み付き部３１、３２の軸方向に沿って延びる基準線を採り、表示部材１８の構成部材２２と構成部材２３とで挟まれた被挟持部３３の軸方向に沿って延びる基準線を採った場合に、配線装着用部材２０の径方向においてずれを生じているので、絡み付き部３１、３２と被挟持部３３とをそれぞれの機能を果たしつつ１条の線状に構成させるために、図４及び図６に示されるように、絡み付き部３１、３２と被挟持部３３とを斜線状部３５で連接させている。
【００３２】
以上のような表示部材１９と配線装着用部材２０とから成る接続部誤外し防止用器具１８の構成に基づき、かかる接続部誤外し防止用器具１８を接続部７に装着する過程の一例について図５から図７を用いて説明する。
【００３３】
まず、図５に示されるように、表示部材１８について、構成部材２２、２３が少なくとも配線装着用部材２０の被挟部３３の径寸法よりも開いた状態にし、かかる表示部材１８を接続部７の上面に載せる。
【００３４】
次に、図６に示されるように、配線装着用部材２０の被挟持部３３について、構成部材２２、２３の延出部２５、２６側から構成部材２２、２３間に入れて、構成部材２３の構成部材２２と対峙する面に載せる。そして、被挟持部３３をその軸方向にずらして被挟持部３３の係合突部３４と構成部材２３の窪み２９とが係合するようにする。これにより、配線装着用部材２０の被挟持部３３を構成部材２２に対し適切な位置に配置するという位置決めも図られる。
【００３５】
さらに、図７に示されるように、構成部材２２の延出部２５を有する側が構成部材２３の延出部２６を有する側に近接するように、構成部材２２について蝶番２４を利用して揺動させる。これにより、構成部材２２の延出部２５に形成された係合部２８が構成部材２３の延出部２６に形成された貫通孔２７に挿通されて確実且つ堅固に固定されるので、構成部材２２と構成部材２３とが外部からの力等により不用意に開くのを抑止することができると同時に、被挟持部３３の係合突部３４と構成部材２２の窪み２９とについても係合されるので、配線装着用部材２０に対する不用意な引っ張り等により被挟持部３３が表示部材１９の適切な位置からずれたり抜けたりするのを抑止することもできる。
【００３６】
しかるに、このように、接続部誤外し防止用器具１８を接続部７に装着することで、表示部材１９が接続部７の上面に位置しているので、表示部材１９の構成部材２２に対し、語句や記号、数字等で光ファイバケーブル９の心線１０を接続部７から外すか否かを判断するのに必要な情報を表示することにより、目的外の接続部７から光ファイバケーブル９の心線１０を誤って外すことが回避される。
【００３７】
もっとも、この発明に係る接続部誤外し防止用器具１８の構成は、上記したものに限定されず、例えば図８に示されるような構成であっても良い。すなわち、接続部誤外し防止用器具１８の構成部品である配線装着用部材２０は、図８に示されるように、１つの部材から構成されており、絡み付き部３１と、絡み付き部３２と、被挟持部３３とを有して構成されている点では、先の実施例と同様であるが、少なくとも被挟持部３３は線状ではなく所定の横幅を持たせるために薄い板状に形成されたものとなっている。そして、絡み付き部３１と絡み付き部３２とについても、被挟持部３３と同様の薄い板状としつつこれを捩じって同心円の螺旋形状にしたものとしても良い。
【００３８】
これにより、被挟持部３３の表示部材１９の構成部材２２、２３への接地面積が拡大され、被挟持部３３が線の軸を中心に回転して表示部材１９の構成部材２２、２３間から不用意に脱落する事態を回避することが可能となる。
【００３９】
尚、接続部誤外し防止用器具１８の他の構成及び接続部誤外し防止用器具１８を接続部７に装着する過程は先の実施例と同様であるので、先の実施例と同一の符号を付し、これらの構成及び過程の説明を省略した。
【図面の簡単な説明】
【００４０】
【図１】図１は、電柱から光ファイバケーブルが中間配電盤まで引き込まれた後、中間配電盤の収納トレイ近傍で各心線に分岐して収納トレイ内で接続部に接続され、且つ接続部に心線とは反対側で接続された光ファイバコードが収納トレイから装置にまで延びて接続されている状態を示す概略図である。
【図２】図２は、中間配電盤に積層して収納された複数の収納トレイのうちの１の収納トレイを示して、この収納トレイでの心線及び光ファイバコードと接続部との接続状況を示す説明図である。
【図３】図３は、この発明に係る配線の接続部誤外し防止用器具を構成する表示部材の構成を示す説明図であり、図３（Ａ）はこの表示部材の平面図、図３（Ｂ）はこの表示部材の側面図、図３（Ｃ）はこの表示部材の正面図である。
【図４】図４は、この発明に係る配線の接続部誤外し防止用器具を構成する配線装着用部材の側面図である。
【図５】図５は、配線の接続部誤外し防止用器具の接続部への装着過程の第１の過程を示すものであり、表示部材を２つの構成部材が開いた状態で接続部に載せた状態を示す説明図である。
【図６】図６は、配線の接続部誤外し防止用器具の接続部への装着過程の第２の過程を示すものであり、配線装着用部材を光ファイバケーブルの心線と光ファイバコードとに絡み付けつつ表示部材の構成部材間に配置した状態を示す説明図である。
【図７】図７は、配線の接続部誤外し防止用器具の接続部への装着過程の第３の過程を示すものであり、表示部材の構成部材の一方を構成部材の他方に近接させて両者を閉じることで、配線装着用部材を挟んだ状態を示す説明図である。
【図８】図８は、この発明に係る配線の接続部誤外し防止用器具のうちの配線装着用部材の他の実施例を示す説明図であり、図８（ａ）は配線装着用部材の構成図、図８（ｂ）は表示部材の構成部材の一方を構成部材の他方に近接させて両者を閉じることで、配線装着用部材を挟んだ状態を示す説明図である。
【符号の説明】
【００４１】
１  中間配電盤
３  光ファイバ収納トレイ
４  底部（底面）
７  接続部
９  光ファイバケーブル（配線）
１０  心線（配線）
１３  光ファイバコード（配線）
１４  各種装置
１５  入力部
１９  表示部材
２０  配線装着用部材
２２  構成部材
２３  構成部材
２４  蝶番（開閉機構）
２７  貫通孔
２８  係合部
２９  窪み
３１  絡み付き部
３２  絡み付き部
３３  被挟持部
３４  係合突起
【図１】
2010054647.tif 000003
【図２】
2010054647.tif 000004
【図３】
2010054647.tif 000005
【図４】
2010054647.tif 000006
【図５】
2010054647.tif 000007
【図６】
2010054647.tif 000008
【図７】
2010054647.tif 000009
【図８】
2010054647.tif 000010